(57)【要約】【目的】従来の舗装用具と比較して製造コストを大幅に低減することができ、塩化ビニル樹脂製パイプの廃棄処分コストの問題も解決することができる舗装用具を提供する。また、砂利等で舗装した場合でも舗装後に砂利等の上に雑草などが繁殖することを長期間防止できる舗装方法を提供する。【構成】塩化ビニル樹脂製パイプの廃材を所定幅で切断することにより、互いに高さが同一の複数の筒体を用意し、それらを、互いに直径が同一で且つ互いに隣り合う廃塩ビ筒体の外周壁面同士が当接するように、又は互いに直径が異なりその一方の外周壁面が他方の内周壁面と当接するように、固定して成る舗装用具、並びに、地盤面と舗装用具及び砂利等の間に消石灰などの防草作用を有する物質から成る防草層を形成する舗装方法である。【選択図】    図１Ａ
2015158042.tif 000002
【特許請求の範囲】
【請求項１】
砂利等の粒状物又は土を自らの内部に充填又は配置可能な多数の筒体を備えた舗装用具であって、塩化ビニル樹脂製パイプの廃材（以下「廃塩ビ管」という）を所定幅で切断することにより、互いに高さが同一の複数の筒体（以下「廃塩ビ筒体」という）を用意し、それらを、互いに直径が同一で且つ互いに隣り合う廃塩ビ筒体の外周壁面同士が当接するように、又は互いに直径が異なりその一方の外周壁面が他方の内周壁面と当接するように、固定して成る、廃塩ビ管を使用した舗装用具。
【請求項２】
互いに直径が同一の少なくとも７個の廃塩ビ筒体を用意し、それらの中の１個の廃塩ビ筒体を中心としてその外周側に他の６個の廃塩ビ筒体を配置し、互いに隣接する各廃塩ビ筒体の外周壁面同士を当接させることにより、前記計７個の廃塩ビ筒体全体の平面形状を略正６角形状とし、前記の平面が略正６角形状となった計７個の廃塩ビ筒体を、前記６個の廃塩ビ筒体の外周側から、テープ状又は紐状の部材により、前記中心方向に締め付け固定して成る、請求項１に記載の廃塩ビ管を使用した舗装用具。
【請求項３】
互いに直径が同一の多数個の廃塩ビ筒体を用意し、それらを縦方向及び横方向に全体として略格子状となるように並べることにより、その全体の平面形状を略長方形状とし、互いに隣り合う廃塩ビ筒体の外周壁面同士を互いに接続固定して成る、請求項１に記載の廃塩ビ管を使用した舗装用具。
【請求項４】
互いに直径が異なる少なくとも２個の廃塩ビ筒体を用意し、その一方の廃塩ビ筒体の外周壁面が他方の廃塩ビ筒体の内周壁面と当接するように配置し、両者を前記当接部分で固定して成る、請求項１に記載の廃塩ビ管を使用した舗装用具。
【請求項５】
請求項１から４までに記載の舗装用具などを使用した舗装方法であって、
舗装対象となる転圧した地盤面の上に、消石灰などの防草作用を有する物質から成る防草層を形成する工程と、
前記防草層の上に、砂利等の粒状物又は土を自らの内部に充填又は配置可能な多数の筒体を有する舗装用具を、前記防草層の上に、複数、並べて配置する工程と、
前記各舗装用具内の各筒体内に多数の粒状物又は土を充填又は配置する工程と、
を含むことを特徴とする、廃塩ビ管を使用した舗装方法。
【発明の詳細な説明】
【技術分野】
【０００１】
本発明は、歩道や庭などに砂利や玉砂利などの粒状物を配置して舗装するための舗装用具及びこれを使用した舗装方法に関する。
【背景技術】
【０００２】
図８は特許文献１に開示された、地盤面に砂利や玉砂利などの粒状物を配置して舗装するための従来の舗装用具の一例を示す図で、（ａ）はその中央部分断面図、（ｂ）はその平面図である。従来より、砂利等の粒状物を使用して舗装するときは、図８に示すような多数の突起とそれらを互いに連接する隔壁などから構成される空隙部（砂利等の粒状物が充填、配置される部分）が網の目状・格子状に配置されて成る舗装用具を、歩道や庭などの地盤面上に、水平方向に多数個、敷き詰めるように設置し、その上に砂利等の粒状物を充填、配置するようにしていた。
【先行技術文献】
【特許文献】
【０００３】
【特許文献１】特許第３８５１４７３号公報
【発明の概要】
【発明が解決しようとする課題】
【０００４】
ところで、前述のような多数の空隙部（粒状物が充填、配置される部分）を有する舗装用具、又はこれと同種の従来の舗装用具は、その全体が樹脂材料により一体成形することにより製造されていた。
【０００５】
しかしながら、このような一体成形により舗装用具を製造するときは、高価な金型が必要になるため舗装用具の製造コストが高額化してしまうという問題があった。また、従来の砂利や玉砂利などの粒状物を配置して舗装する舗装方法では、アスファルト舗装やコンクリート舗装と異なって、舗装後に砂利等の粒状物の隙間から雑草などが繁殖してしまう場合があることが問題となっていた（また、そのような雑草対策として、砂利等の上に防草剤を撒いても、それによる防草効果が短期間内に失われてしまうという問題があった）。
【０００６】
他方、従来より、例えば採石場で行われる発破作業においては、塩化ビニル樹脂製パイプの下半分に火薬（硝安油剤爆薬など）を詰めてその上半分に砂を詰めたものを地中に埋めてから爆発させることが行われているが、その場合、爆破されずに残った上半分の塩化ビニル樹脂製パイプは専門業者に依頼して有償で廃棄処分していた。また、採石場以外でも、塩化ビニル樹脂製パイプは、従来より水道管、配水管、ガス管など多種の用途で使用されているが、これらも一部が破損するなど廃棄処分が必要になったときは専門業者に有償で引き取ってもらっていた。このように、様々な用途で利用されている塩化ビニル樹脂製パイプについては、従来より、その廃棄処分コストが大きな問題となっていた。
【０００７】
本発明は前述のような従来技術の様々な問題点に着目してなされたものであって、従来の舗装用具と比較して製造コストを大幅に低減することができ、塩化ビニル樹脂製パイプの廃棄処分コストの問題も解決することができる舗装用具を提供することを目的とする。また本発明は、砂利や玉砂利などの粒状物を配置して舗装した場合でも舗装後に粒状物の上に雑草などが繁殖することを、長期間、防止することができる舗装方法を提供することを目的とする。
【課題を解決するための手段】
【０００８】
このような従来技術の課題を解決するための本発明による舗装用具は、砂利等の粒状物又は土を自らの内部に充填又は配置可能な多数の筒体を備えた舗装用具であって、塩化ビニル樹脂製パイプの廃材（以下「廃塩ビ管」という）を所定幅で切断することにより、互いに高さが同一の複数の筒体（以下「廃塩ビ筒体」という）を用意し、それらを、互いに直径が同一で且つ互いに隣り合う廃塩ビ筒体の外周壁面同士が当接するように、又は互いに直径が異なりその一方の外周壁面が他方の内周壁面と当接するように、固定して成るものである。
【０００９】
また、本発明による舗装用具は、互いに直径が同一の少なくとも７個の廃塩ビ筒体を用意し、それらの中の１個の廃塩ビ筒体を中心としてその外周側に他の６個の廃塩ビ筒体を配置し、互いに隣接する各廃塩ビ筒体の外周壁面同士を当接させることにより、前記計７個の廃塩ビ筒体全体の平面形状を略正６角形状とし、前記平面略正６角形状となった計７個の廃塩ビ筒体を、前記６個の廃塩ビ筒体の外周側から、テープ状又は紐状の部材により、前記中心方向に締め付け固定して成るものであってもよい。
【００１０】
また、本発明による舗装用具は、互いに直径が同一の多数個の廃塩ビ筒体を用意し、それらを縦方向及び横方向に全体として略格子状となるように並べることにより、その全体の平面形状を略長方形状とし、互いに隣り合う廃塩ビ筒体の外周壁面同士を互いに接続固定して成るものであってもよい。
【００１１】
また、本発明による舗装用具は、互いに直径が異なる少なくとも２個の廃塩ビ筒体を用意し、その一方の廃塩ビ筒体の外周壁面が他方の廃塩ビ筒体の内周壁面と当接するように配置し、両者を前記当接部分で固定して成るものであってもよい。
【００１２】
さらに、本発明による舗装方法は、舗装対象となる転圧した地盤面の上に、消石灰などの防草作用を有する物質から成る防草層を形成する工程と、前記防草層の上に、砂利等の粒状物又は土を自らの内部に充填又は配置可能な多数の筒体を有する舗装用具を、前記防草層の上に、複数、並べて配置する工程と、前記舗装用具内の各筒体中に多数の粒状物又は土を充填又は配置する工程とを含むことを特徴とするものである。
【発明の効果】
【００１３】
本発明によれば、廃塩ビ管を所定幅毎に切断して得られた複数の廃塩ビ筒体を略水平方向に並べて組み合わせ固定することにより舗装用具を構成したので、舗装用具の材料費を無料として舗装用具の製造及び廃塩ビ管の廃棄処理を含む全体のコストを大幅に低減させることができると共に、従来は必要であった廃塩ビ管の廃棄処分コストを大幅に低減することができる。
【００１４】
また本発明によれば、廃塩ビ管を所定幅毎に切断して得られた複数の廃塩ビ筒体を略水平方向に並べて成る舗装用具を地盤面上に配置し、その上から砂利等の粒状物や土を前記各筒体内に充填又は配置することにより舗装を行うようにしたので、舗装面に前記各筒体の上端の円形状部分が格子状又はハニカム状などに規則正しく配列された幾何学的模様を作出することができ、歩道や庭などの舗装面の外観をより興趣深いものとすることができる。
【００１５】
また本発明において、舗装用具を、互いに直径が同一の少なくとも７個の廃塩ビ筒体をその全体が平面略正６角形状となるように配置された状態で締め付け固定することにより構成したときは、地盤面上に前記複数の平面略正６角形状の舗装用具をその各側面側同士が当接するように並べるだけで、それら全体の配置を平面略正６角形状の物体が互いに隙間無く並んだハニカム（蜂の巣）構造の配列とすることができるので、地盤面上で前記各舗装用具を互いに容易に位置ズレしない安定した状態となるように配置、施工することができると共に、前記各筒体の上端の円形状部分がハニカム状に規則正しく並んだ幾何学的模様を作出し、舗装面を大変に興趣深いものとすることができる。
【００１６】
また本発明において、舗装用具を、前述のように少なくとも７個の廃塩ビ筒体の全体が平面略正６角形状となるように配置された状態で締め付け固定されることにより構成したときは、各舗装用具は、全体の大きさと形状が「片手での取り扱いが容易な平面数十センチ程度の略正６角形状」となるので、地盤面への設置作業が極めて効率的にできるようになると共に、法面などの傾斜した地盤面や起伏のある地盤面などでも各舗装用具を互いに隙間なく容易に設置することができる。
【００１７】
また、本発明において、舗装用具を、互いに直径が同一の多数個の各廃塩ビ筒体を略格子状に並べて全体の平面形状が略長方形状となるように構成したときは、その舗装用具を複数個、地盤面に並べてから砂利等の粒状物を充填又は配置すると、その舗装面全体に前記廃塩ビ筒体の上端の円形状が格子状に規則正しく並んだ模様が作出されるようになるので、各舗装用具を低コストで製造できるだけでなく、舗装面の外観を極めて興趣深いものとすることができる。
【００１８】
また、本発明において、舗装用具を、互いに直径が異なる少なくとも２個の廃塩ビ筒体中の一方の廃塩ビ筒体の外周壁面が他方の廃塩ビ筒体の内周壁面と当接するように配置し、両者を前記当接部分で固定するように構成したときは、１つの直径の比較的大きい廃塩ビ筒体の内部に直径の比較的小さい他の廃塩ビ筒体が配置されるので、直径の比較的大きい廃塩ビ筒体の内部に充填又は配置された粒状物の水平方向の移動を抑制して、前記粒状物をより安定的に保持できるようになる。
【００１９】
さらに、本発明による舗装方法において、舗装対象となる転圧した地盤面上に、消石灰などの防草作用を有する物質から成る防草層を形成した後に、その上に、前記の廃塩ビ管などを利用して製造された舗装用具を複数個並べて配置し各筒体内に粒状物又は土を充填又は配置して舗装を行うようにしたときは、前記防草層は前記の舗装用具及び粒状物又は土などの下方に位置しているため風による飛散や雨水による流動がなく長期間その位置に保持されるので、前記各筒体内の粒状物の隙間又は土から雑草などが繁殖することを、長期間、有効に防止できるようになる（防草剤を砂利等の舗装の上に撒いても、風により容易に飛散したり雨水により容易に流出して短期間しか防草効果を得られないが、本発明の方法によるときは、長期間、防草効果を維持することができる）。
【図面の簡単な説明】
【００２０】
【図１Ａ】本発明の実施形態１による舗装用具を示す斜視図である。
【図１Ｂ】本実施形態１による複数の舗装用具を並べて配置する状態を説明するための斜視図である。
【図１Ｃ】本実施形態１による複数の舗装用具を並べて配置する状態を説明するための斜視図である。
【図１Ｄ】本実施形態１による舗装用具の地盤面への固定方法を説明するための斜視図である。
【図２】本発明の実施形態２による舗装用具を示す斜視図である。
【図３Ａ】本発明の実施形態３による舗装用具を示す斜視図である。
【図３Ｂ】本実施形態３による舗装用具の地盤面への固定方法を説明するための斜視図である。
【図３Ｃ】本実施形態３による舗装用具の地盤面への固定方法を説明するための斜視図である。
【図３Ｄ】本実施形態３による舗装用具の地盤面への固定方法を説明するための斜視図である。
【図３Ｅ】本実施形態３を使用した舗装面の一例を示す平面図である。
【図４Ａ】本発明の実施形態４による舗装用具を説明するための斜視図である。
【図４Ｂ】本実施形態４による舗装用具を説明するための斜視図である。
【図４Ｃ】本実施形態４による舗装用具を説明するための斜視図である。
【図５】本実施形態５による舗装用具を示す斜視図である。
【図６】本実施形態６による舗装用具を示す斜視図である。
【図７】本実施形態７による舗装方法を説明するための概略図である。
【図８】従来の砂利等を使用する舗装用具の一例を示す図で、（ａ）はその中央部分断面図、（ｂ）はその平面図である。
【発明を実施するための形態】
【００２１】
〔第１の実施形態〕
以下、本発明の実施形態１による舗装用具の構成を図１Ａ〜１Ｃを参照して説明する。図１Ａは本実施形態１の舗装用具を示す斜視図、図１Ｂ，１Ｃは本実施形態１に係る複数の舗装用具を並べて配置する状態を説明するための斜視図である。図１Ａにおいて、１は舗装用具、２ａ，２ｂは、それぞれ、塩化ビニル樹脂製パイプの廃材を所定幅（例えば３０〜７０ｍｍ，望ましくは５０ｍｍ）で切断して成る廃塩ビ筒体である。なお本実施形態では、前記廃材として、採石場での発破作業に使用された複数の塩化ビニル樹脂製パイプ（例えば直径５０ｍｍのパイプ）の廃材を使用した。
【００２２】
前記舗装用具１は、図１Ａに示すように、１個の廃塩ビ筒体２ａの外側に他の６個の廃塩ビ筒体２ｂが配置されて成るものである。具体的には、前記舗装用具１は、中心側に配置される１個の廃塩ビ筒体２ａの外周側面（外周壁面）に、他の６個の廃塩ビ筒体２ｂの各外周側面が互いに（隣接する各外周側面同士が）当接するように配置された状態で、前記６個の廃塩ビ筒体２ｂの外周側面から中心方向に向けて、金属製ワイヤ３（これに代えてプラスチック製テープ、紐、ロープなどを使用してもよい）で締め付け固定することにより構成されている。
【００２３】
このように計７個の廃塩ビ筒体２ａ，２ｂが組み合わせられて成る舗装用具１は、図１Ａに示すように、全体として略正６角形の平面形状を有するものとなる。このような全体として略正６角形の平面形状を有する舗装用具１を、複数個、地盤面に配置する場合は、図１Ｃに示すように、互いが隙間無く並べられたハニカム（蜂の巣）構造とすることができる。
【００２４】
よって、本実施形態１によれば、前述のように地盤面上での各舗装用具１の配置形態を互いが隙間無く並んだハニカム（蜂の巣）構造とすることができるので、地盤面上に施工された後の前記各舗装用具１を互いに容易に位置ズレしない安定した状態とすることができると共に、地盤面上に施工された後は前記各廃塩ビ筒体２ａ，２ｂの上端の円形状部分がハニカム状に規則正しく幾何学的に並んだ様子が見えるので舗装面の外観を興趣深いものとすることができる。また、本実施形態１に係る前記全体として略正６角形の平面形状を有する舗装用具１は、全体の大きさと形状が「片手での取り扱いが容易な平面数十センチ程度の略正６角形状」であるため、地盤面への設置作業が極めて効率的にできるようになると共に、法面などの傾斜した地盤面や起伏のある地盤面などでも複数の各舗装用具１を互いに隙間なく容易に設置することができるようになる。
【００２５】
なお、本実施形態１による舗装用具１を歩道、庭、又は法面などに複数設置するときは、例えば図１Ｄに示す方法で地盤面に固定することができる。すなわち、予め廃塩ビ筒体２ａ及び２ｂの少なくとも１つの内周壁面の下端部及びその周辺に、図１Ｄに示すような略Ｌ字状の固定金具４（挿通穴が形成されたもの）をネジ５などで固定しておく。そして、舗装用具１を地盤面上に配置した後に釘６で前記固定金具４の挿通穴（地盤面側と対向する挿通穴）に挿通しこれを地中に打ち込むことにより、舗装用具１を地盤面に固定することができる。なお図１Ｄでは、図示の便宜上、外周側の各廃塩ビ筒体２ｂの外周面に取り付けられる締め付け固定用のワイヤ又はテープの図示を省略している。なお、本実施形態１による舗装用具１を歩道、庭、又は法面などに設置するときの地盤への他の固定方法として、後述の図３Ｂなどに示す方法を使用することも可能である。また、本実施形態１では、特別な固定器具を用いない固定方法として、前記舗装用具１を地盤面上に設置して、その各廃塩ビ筒体２ａ，２ｂ内に土壌を入れて植物が繁殖するようにすることも可能である（この場合は、前記植物の根が地盤中に張り巡られることにより、前記舗装用具１が地盤に固定される）。
【００２６】
〔第２の実施形態〕
次に図２は本発明の実施形態２に係る舗装用具１１を示す斜視図である。図２において、１１は舗装用具、１２ａ，１２ｂは塩化ビニル樹脂製パイプの廃材を使用して、それらを所定幅（例えば３０〜７０ｍｍ，望ましくは５０ｍｍ）で切断して成る廃塩ビ筒体である。本実施形態２では、前記廃材として、配水管に使用されていた塩化ビニル樹脂製パイプ（例えば直径１００ｍｍのパイプ）の廃材を使用した。
【００２７】
本実施形態２でも、前記実施形態１と同様に、中心側に配置される１個の廃塩ビ筒体１２ａの外周側面に、他の６個の廃塩ビ筒体１２ｂの外周側面がそれぞれ当接するように配置された状態で、前記６個の廃塩ビ筒体２ｂの外周側面から中心方向に向けて、プラスチック製テープ１３で締め付け固定することにより、その全体の平面が略正６角形状に固定されるように構成されている。
【００２８】
このように、本実施形態２では、前記実施形態１と基本的構成は同一であるが、前記廃塩ビ筒体１２ａ，１２ｂの直径と肉厚が実施形態１におけるものよりも大きいものを採用している。そのため、本実施形態２では、前記プラスチック製テープ１３で締め付け固定するだけでは計７個の廃塩ビ筒体１２ａ，１２ｂを十分に固定・保持できないため、中心に配置される１個の廃塩ビ筒体１２ａの外周側面と他の６個の廃塩ビ筒体１２ｂの外周側面とが当接した部分（計６箇所）において、それぞれ、中心側の１個の廃塩ビ筒体１２ａとその外周側の各廃塩ビ筒体１２ｂ（計６個）とを金属製ワイヤ１４で締め付け固定するようにしている。なお、本実施形態２の構成は前述のように基本的構成は前記実施形態１と同一であるので、本実施形態２によっても、前記実施形態１におけると同様の作用効果を奏することができる。
【００２９】
〔第３の実施形態〕
次に図３Ａは本発明の実施形態３による舗装用具を示す斜視図である。図３Ａにおいて、２１は舗装用具、２２は、それぞれ、塩化ビニル樹脂製パイプ（例えば前記実施形態１と同じ直径５０ｍｍのパイプ）の廃材を所定幅（例えば３０〜７０ｍｍ，望ましくは５０ｍｍ）で切断して成る廃塩ビ筒体である。
【００３０】
前記舗装用具２１は、例えば計４８個の廃塩ビ筒体２２を図示のように縦６列及び横８列の格子状に配置し、隣接する各廃塩ビ筒体２２の外周壁面同士が互いに当接する当接部分（図３Ａの符号２３参照）を公知の接着剤などで互いに固定して成るものである。
【００３１】
次に、図３Ｂ〜３Ｄを参照して本実施形態３による舗装用具２１を地盤面に設置する方法について説明する。本実施形態３においては、予め、前記舗装用具２１を構成する各廃塩ビ筒体２２中の一つ又は複数の内周壁面の下端部に前記内周壁面から内部方向（筒体の中心方向）に数ｍｍ程度と突出する突出部２４を固定しておく。この突出部２４は、例えば前記各廃塩ビ筒体２２を形成する材料となった塩化ビニル樹脂製パイプ（例えば直径５０ｍｍのパイプ）の廃材を各廃塩ビ筒体２２より小さい高さを有するように切断し、その外周壁面の一部を切り欠いて全体の直径を小さくした（その外周壁面が前記各廃塩ビ筒体２２の内周壁面に当接可能なサイズまで直径を小さくした）ものである。
【００３２】
そして、図３Ｂ〜３Ｄに示すような金属製固定ピン２５を用意する。この固定ピン２５は、その一方の端部（図３Ｃの図示下方の後端部）に、前記各廃塩ビ筒体２２の内周面の直径と略同一の直径から成る円板部２５ａを備えている。前記舗装用具２１を地盤面に配置したときは、図３Ｃに示すように、前記突出部２４を備えた廃塩ビ筒体２２の上方から前記固定ピン２５の図示下方の後端部を前記廃塩ビ筒体２２及び地盤中に挿入し、その後、図３Ｄに示すように後端部の円板部２５ａを前記円板部２５ａが前記突出部２４に当接するまで地中に押し込むようにする。以上により、前記舗装用具２１の地盤面への固定が可能となる。
【００３３】
以上のように、本実施形態３によれば、各舗装用具２１毎に多数の廃塩ビ筒体２２が縦及び横方向に格子状に規則正しく配置されている。よって、本実施形態３による複数の舗装用具２１を地盤面上に順次並べて配置しその上に砂利等の粒状物を配置、充填することにより舗装を行った場合、その舗装面には、図３Ｅに示すように、例えば砂利２６が敷き詰められた上に多数の廃塩ビ筒体２２の各上端の円形状部分２２ａが露出するようになるので、舗装面に極めて興趣深い幾何学的模様を作出することができる。
【００３４】
〔第４の実施形態〕
次に図４Ａ〜４Ｄを参照して本発明の実施形態４による舗装用具を説明する。本実施形態４の基本的構成は前記実施形態３と同一であるので、以下では異なる部分についてのみ説明する。本実施形態４では、図４Ａ〜４Ｃに示すように、舗装用具を構成する個々の廃塩ビ筒体の構成が前記実施形態３と異なっている。
【００３５】
すなわち、本実施形態４では、個々の廃塩ビ筒体が、塩化ビニル樹脂製パイプ（例えば直径５０ｍｍのパイプ）の廃材を所定幅（例えば３０〜７０ｍｍ，望ましくは５０ｍｍ）で切断して成る廃塩ビ筒体３２と、その外周壁面に巻き付けられる補強用廃塩ビ筒体３３とから構成されている。
【００３６】
前記補強用廃塩ビ筒体３３は、前記廃塩ビ筒体３２の材料となった塩化ビニル樹脂製パイプ（例えば直径５０ｍｍのパイプ）の廃材を前記廃塩ビ筒体３２の高さよりも小さい寸法となるように切断し、さらに、その外周壁面の一部を切り欠いたものである（図４Ａの符号３３ａ参照）。この切り欠き３３ａにより、前記補強用廃塩ビ筒体３３は、図４Ａに示すように、その内周壁面の直径が、前記廃塩ビ筒体３２の外周壁面の直径よりも大きくなるように変形させることができる。
【００３７】
本実施形態４では、このような前記補強用廃塩ビ筒体３３を、例えば図４Ａに示すように作業者の手でその直径を広げ、その状態で、図４Ｂ及び図４Ｃに示すように前記廃塩ビ筒体３２の外周壁面の略全体に当接する（巻き付く）ように配置する。
【００３８】
本実施形態４においては、このようにして前記廃塩ビ筒体３２の外周壁面の略全体に前記補強用廃塩ビ筒体３３の内周壁面を当接させることができるので、舗装用具を構成する個々の廃塩ビ筒体の強度を高めることができる。なお、本実施形態４のように廃塩ビ筒体３２の外周壁面の略全体に補強用廃塩ビ筒体３３を当接させて全体の強度を高めるようにした廃塩ビ筒体は、前記実施形態３の舗装用具の廃塩ビ筒体としてだけでなく、前記実施形態１，２の舗装用具の廃塩ビ筒体としても使用可能である。
【００３９】
〔第５の実施形態〕
次に本発明の実施形態５による舗装用具を図５（ａ）及び（ｂ）を参照して説明する。本実施形態５による舗装用具４１は、互いに直径が異なる２種類の塩化ビニル樹脂製パイプの廃材を所定幅で（所定の高さとなるように）切断した廃塩ビ筒体４２，４３を用意し、直径の大きい廃塩ビ筒体４２の中に直径の小さい廃塩ビ筒体４３を入れて、前記廃塩ビ筒体４２の内周壁面と前記廃塩ビ筒体４３の外周壁面とを当接させ、その当接部分４４をネジ４５などで固定する。また、この当接部分４４に対応する前記廃塩ビ筒体４２の外周壁面の下端部又はその周辺部分には、図示のような略Ｌ字状の固定金具４６をネジなどで固定する。また、前記廃塩ビ筒体４２中の前記固定金具４６が固定された前記当接部分４４と対向する部分（図５（ｂ）の符号４７参照）の外周壁面の下端部又はその周辺部分にも、図示のような略Ｌ字状の固定金具４８をネジなどで固定する。前記各固定金具４６，４８は、前記実施形態１で図１Ｄに関して説明した固定金具４と同様に、前記廃塩ビ筒体４２を地盤面に固定するためのものである。
【００４０】
以上のように、本実施形態５においては、互いに直径の異なる２つの廃塩ビ筒体４２，４３を用意し直径の小さい廃塩ビ筒体４３を直径の大きい廃塩ビ筒体４２の内部に配置、固定するようにしたので、直径の大きい廃塩ビ筒体４２の内部に充填又は配置された砂利等の粒状物の水平方向の移動を抑制し、前記粒状物をより安定的に保持できるようになる。
【００４１】
〔第６の実施形態〕
次に本発明の実施形態６による舗装用具を図６を参照して説明する。本実施形態６による舗装用具５１は、互いに直径が異なる３種類の塩化ビニル樹脂製パイプの廃材を所定幅で切断した廃塩ビ筒体５２，５３，５４を用意し、
直径の最も大きい廃塩ビ筒体５２の中にそれより直径の小さい廃塩ビ筒体５３を入れて、この廃塩ビ筒体５３の中にそれより更に直径の小さい廃塩ビ筒体５４を入れて、前記廃塩ビ筒体５２の内周壁面と前記廃塩ビ筒体５３の外周壁面とを当接させると共に、前記廃塩ビ筒体５３の内周壁面と前記廃塩ビ筒体５４の外周壁面とを当接させ、それらの当接部分５５（１箇所）をネジ（図示省略）などで固定したものである。
【００４２】
以上のように、本実施形態６においては、互いに直径の異なる３個の廃塩ビ筒体５２，５３，５４を用意し、直径の小さい廃塩ビ筒体５４を直径のより大きい廃塩ビ筒体５３の内部に、更に直径の大きい廃塩ビ筒体５３を直径のより大きい廃塩ビ筒体５２の内部に配置、固定するようにしたので、直径の大きい廃塩ビ筒体５２，５３の内部に充填又は配置された砂利等の粒状物の水平方向の移動を抑制し、前記粒状物をより安定的に保持できるようになる。
【００４３】
〔第７実施形態〕
次に本発明の実施形態７による舗装方法を図７を参照して説明する。本実施形態７による舗装方法は、前記各実施形態１〜６のいずれの舗装用具（又はその他の舗装用具）を使用しても実施できるが、以下では前記実施形態３を使用した場合を想定して説明する。
【００４４】
まず、作業者は、図７（ａ）に示すように、舗装対象となる地盤面６１を平坦にして転圧する。そして、この転圧した地盤面６１上に、図７（ｂ）に示すように、例えば消石灰などの防草作用を有する物質から成る防草層６２を形成する。その後、図７（ｃ）に示すように、前記防草層６２の上に、前記実施形態３に係る舗装用具２１を並べて配置し、この各舗装用具２１の各廃塩ビ筒体２２内に砂利等を配置、充填する。
【００４５】
このように、本実施形態７によれば、地盤面６１と前記舗装用具２１及び砂利等との間に防草層６２を介在させるようにしたので、砂利等の隙間から雑草などが繁殖することを有効に防止することができる。しかも、本実施形態７においては、前記防草層６２は前記舗装用具２１及び砂利等の下方に配置されているので、風により飛散したり雨水により流出することがほとんどなくなり、前記防草層を長期間、保持することができる（消石灰などの防草層を地上に形成した場合は、風により容易に飛散したり雨水により容易に流出してしまうため防草効果が短期間しか得られないという問題があるが、本実施形態７では長期間、防草効果を維持することができる）。
【符号の説明】
【００４６】
１，１１，２１，３１，４１，５１    舗装用具
２ａ，２ｂ，１２ａ，１２ｂ，２２，３２，４２，４３，５２，５４  廃塩ビ筒体
３，１４      金属製ワイヤ
４，４６，４８ 固定金具
５，４５      ネジ
６     釘
１３   プラスチック製テープ
２２ａ 円形状部分
２３，４４，５５    当接部分
２４   突出部
２５   固定ピン
２５ａ 円板部
２６   砂利
３３   補強用廃塩ビ筒体
３３ａ 切り欠き
６１   地盤面
６２   防草層
【図７】
2015158042.tif 000003
【図８】
2015158042.tif 000004
【図１Ａ】
2015158042.tif 000005
【図１Ｂ】
2015158042.tif 000006
【図１Ｃ】
2015158042.tif 000007
【図１Ｄ】
2015158042.tif 000008
【図２】
2015158042.tif 000009
【図３Ａ】
2015158042.tif 000010
【図３Ｂ】
2015158042.tif 000011
【図３Ｃ】
2015158042.tif 000012
【図３Ｄ】
2015158042.tif 000013
【図３Ｅ】
2015158042.tif 000014
【図４Ａ】
2015158042.tif 000015
【図４Ｂ】
2015158042.tif 000016
【図４Ｃ】
2015158042.tif 000017
【図５】
2015158042.tif 000018
【図６】
2015158042.tif 000019